(57)【要約】【課題】  通常の業務用のネットワーク網と監視用のネットワーク網を統合し、システム全体の費用対効果を向上させると共に、ネットワーク管理作業は業務用、監視用ともに一元化するネットワーク監視システムを提供することを目的とする。【解決手段】  監視映像を配信する複数の映像配信部と、少なくとも前記監視映像を管理するサーバと、前記監視映像により監視を行う少なくとも１つの監視端末とを有し、前記複数の映像配信部と、前記サーバと、前記少なくとも１つの監視端末がネットワークに接続されたネットワーク監視システムにおいて、前記サーバには、前記複数の映像配信部に対する所定の優先順位が設定され、前記少なくとも１つの監視端末より前記サーバに前記監視映像の配信要求が為された場合に、ネットワーク上のトラフィック状況及び前記優先順位に基づいて前記複数の映像配信部が監視映像を配信し、該配信を受信した当該監視端末に前記監視映像を表示することを特徴とする。【選択図】  図４
2005136613.tif 000002
【特許請求の範囲】
【請求項１】
監視映像を配信する複数の映像配信部と、少なくとも前記監視映像を管理するサーバと、前記監視映像により監視を行う少なくとも１つの監視端末とを有し、
前記複数の映像配信部と、前記サーバと、前記少なくとも１つの監視端末がネットワークに接続されたネットワーク監視システムにおいて、
前記サーバには、前記複数の映像配信部に対する所定の優先順位が設定され、
前記少なくとも１つの監視端末より前記サーバに前記監視映像の配信要求が為された場合に、ネットワーク上のトラフィック状況及び前記優先順位に基づいて前記複数の映像配信部が監視映像を配信し、該配信を受信した当該監視端末に前記監視映像を表示することを特徴とするネットワーク監視システム。
【請求項２】
監視映像を配信する少なくとも１つの映像配信部と、少なくとも前記監視映像を管理するサーバと、前記監視映像により監視を行う複数の監視端末とを有し、
前記少なくとも１つの映像配信部と、前記サーバと、前記複数の監視端末がネットワークに接続されたネットワーク監視システムにおいて、
前記サーバには、前記複数の監視端末に対する所定の優先順位が設定され、
前記複数の監視端末のうちの任意の監視端末より前記サーバに前記監視映像の配信要求が為された場合に、ネットワーク上のトラフィック状況及び前記優先順位に基づいて前記少なくとも１つの映像配信部が監視映像を配信し、該配信を受信した当該監視端末に前記監視映像を表示することを特徴とするネットワーク監視システム。
【請求項３】
監視映像を配信する複数の映像配信部と、少なくとも前記監視映像を管理するサーバと、前記監視映像により監視を行う複数の監視端末とを有し、
前記複数の映像配信部と、前記サーバと、前記複数の監視端末がネットワークに接続されたネットワーク監視システムにおいて、
前記サーバには、所定の前記複数の映像配信部、及び、前記複数の監視端末の少なくとも一方に対する所定の優先順位が設定され、
前記複数の監視端末のうちの任意の監視端末より前記サーバに対して前記複数の映像配信部のうちの任意の映像配信部に映像の配信要求が為された場合に、ネットワーク上のトラフィック状況及び前記優先順位に基づいて前記配信要求のあった任意の映像配信部が監視映像を配信し、これを受信した当該監視端末に前記監視映像を表示することを特徴とするネットワーク監視システム。
【請求項４】
前記映像配信部は監視カメラを含み、
前記監視端末は映像表示を行う表示部を含み、
前記サーバは前記監視カメラと前記表示部のうちの少なくとも一方に関する優先順位を設定した記憶部を有することを特徴とする前記請求項１乃至請求項３に記載のネットワーク監視システム。
【発明の詳細な説明】
【技術分野】
【０００１】
本発明は、映像をネットワークに配信して端末にて監視を行うネットワーク監視システムに関し、特に、ネットワーク上のトラフィックに応じて適応的に配信するネットワーク監視システムに関する。
【背景技術】
【０００２】
図３は、従来のネットワーク監視システムの一例を示す。
ネットワーク３０１は、複数の映像配信拠点１０１と複数の監視拠点３１４が分散して配置してある。
各映像配信拠点１０１は通常１つの映像配信機器１０２が備えられ、この映像配信機器１０２は監視カメラで撮影した映像の映像信号を変調し、ネットワーク３０１上に映像ストリームを送信する装置である。
各監視拠点３１４は通常１つの映像表示装置３１５が備えられ、前記映像配信機器１０２より配信された映像ストリームを受け取り、復調して表示する装置である。
また、ネットワーク監視システムの全体を管理サーバ３０７にて管理する。
この管理サーバ３０７は、ユーザーの認証や映像配信先の指定、映像切換制御等を主な機能として行う装置である。
そして、ネットワーク３０１によるネットワーク監視システムは、各映像配信拠点の少なくとも１つを１つの監視エリア対象として、監視を行う独立したネットワーク網である。
【０００３】
一方、ネットワーク３０２は、複数の業務拠点３０３が分散して配置され、映像による監視以外の用途に用いられる業務用のネットワーク網である。
業務拠点３０３は、業務形態にあわせて複数の拠点が存在し、パソコン等による業務用端末３０４を含み、サーバ群１０６にネットワーク３０２を介して接続される。
サーバ群１０６は、業務に供するサービスを提供するサーバ群であって、例えば、データベースサーバ、ＷＥＢサーバ、タイムサーバ、メールサーバなどの各種の業務の用途に合わせたサーバがある。
【０００４】
また、従来のネットワーク監視システムに関する技術として例えば特許文献１〜特許文献３がある。
【０００５】
【特許文献１】特開２００２−１６５２０８号公報
【特許文献２】特開２００３−１２５３２６号公報
【特許文献３】特開２００３−２８９５２８号公報
【発明の開示】
【発明が解決しようとする課題】
【０００６】
前述した従来のネットワーク監視システムは、映像ストリームの伝送帯域が一般業務に使用するデータに比べて過大であるため、映像用のネットワーク３０１と業務用のネットワーク３０２が独立しているのが一般的であった。
このように、ネットワーク網が独立するため、各ネットワーク網の新規整備、各ネットワーク機器の購入、インフラ整備、それに付随する工事や作業が多く発生し、また、各ネットワーク網の導入後も各ネットワーク毎に管理作業が必要であるため、システム投資金額が大きくなってしまうという問題点があった。
【０００７】
本発明は上記従来技術に鑑みて為されたもので、通常の業務用のネットワーク網と監視用のネットワーク網を統合し、システム全体の費用対効果を向上させると共に、ネットワーク管理作業は業務用、監視用ともに一元化するネットワーク監視システムを提供することを目的とする。
さらに、ネットワークを統合した場合に、業務用のデータの送受信が監視映像データの送受信によって大きな影響を受けないようにする、すなわち、ネットワーク上のトラフィックを必要以上に増大させないように、あるいはトラフィックが増大すると予想される場合に事前にそれを回避することのできるネットワーク監視システムを提供することを目的とする。
【課題を解決するための手段】
【０００８】
上記従来の問題点を解決するための本発明は、監視映像を配信する複数の映像配信部と、少なくとも前記監視映像を管理するサーバと、前記監視映像により監視を行う少なくとも１つの監視端末とを有し、前記複数の映像配信部と、前記サーバと、前記少なくとも１つの監視端末がネットワークに接続されたネットワーク監視システムにおいて、前記サーバには、前記複数の映像配信部に対する所定の優先順位が設定され、前記少なくとも１つの監視端末より前記サーバに前記監視映像の配信要求が為された場合に、ネットワーク上のトラフィック状況及び前記優先順位に基づいて前記複数の映像配信部が監視映像を配信し、該配信を受信した当該監視端末に前記監視映像を表示することを特徴とする。
【０００９】
また、上記従来の問題点を解決するため本発明は、監視映像を配信する少なくとも１つの映像配信部と、少なくとも前記監視映像を管理するサーバと、前記監視映像により監視を行う複数の監視端末とを有し、前記少なくとも１つの映像配信部と、前記サーバと、前記複数の監視端末がネットワークに接続されたネットワーク監視システムにおいて、前記サーバには、前記複数の監視端末に対する所定の優先順位が設定され、前記複数の監視端末のうちの任意の監視端末より前記サーバに前記監視映像の配信要求が為された場合に、ネットワーク上のトラフィック状況及び前記優先順位に基づいて前記少なくとも１つの映像配信部が監視映像を配信し、該配信を受信した当該監視端末に前記監視映像を表示することを特徴とする。
【００１０】
また、上記従来の問題点を解決するため本発明は、監視映像を配信する複数の映像配信部と、少なくとも前記監視映像を管理するサーバと、前記監視映像により監視を行う複数の監視端末とを有し、前記複数の映像配信部と、前記サーバと、前記複数の監視端末がネットワークに接続されたネットワーク監視システムにおいて、前記サーバには、所定の前記複数の映像配信部、及び、前記複数の監視端末の少なくとも一方に対する所定の優先順位が設定され、前記複数の監視端末のうちの任意の監視端末より前記サーバに対して前記複数の映像配信部のうちの任意の映像配信部に映像の配信要求が為された場合に、ネットワーク上のトラフィック状況及び前記優先順位に基づいて前記配信要求のあった任意の映像配信部が監視映像を配信し、これを受信した当該監視端末に前記監視映像を表示することを特徴とする。
【００１１】
さらに本発明は、前記映像配信部は監視カメラを含み、前記監視端末は映像表示を行う表示部を含み、前記サーバは前記監視カメラと前記表示部のうちの少なくとも一方に関する優先順位を設定した記憶部を有することを特徴とする。
【発明の効果】
【００１２】
本発明により、通常の業務用のネットワーク網と監視用のネットワーク網を統合し、システム全体の費用対効果を向上させると共に、ネットワーク管理作業は業務用、監視用ともに一元化するネットワーク監視システムを提供することができる。
さらに本発明により、ネットワークを統合した場合に、業務用のデータの送受信が監視映像データの送受信によって大きな影響を受けないようにする、すなわち、ネットワーク上のトラフィックを必要以上に増大させないように、あるいはトラフィックが増大すると予想される場合に事前にそれを回避することのできるネットワーク監視システムを提供することができる。
【発明を実施するための最良の形態】
【００１３】
本発明の実施の形態について図面を参照しながら説明する。
図１は、本発明の実施の形態であるネットワーク監視システムの第1実施例を示す。
ネットワーク１０３は、複数の映像配信拠点１０１と複数の監視拠点１０４が分散して配置してあり、業務データ及び監視映像データが送受信される、いわば複合ネットワークである。
各映像配信拠点１０１は通常１つの映像配信機器１０２が備えられ、この映像配信機器１０２は監視カメラで撮影した映像の映像信号を変調し、ネットワーク１０３上に映像ストリームを送信する。
各監視拠点１０４は通常１つの映像表示装置１０５が備えられ、前記映像配信機器１０２より配信された映像ストリームを受け取り、復調して表示する。
さらに、各監視拠点１０４は、業務形態にあわせて各種の業務を行い、前記映像表示装置１０５は、パソコン等に接続されて、サーバ群１０６及び管理サーバ１０７にネットワーク１０３を介して接続される。
サーバ群１０６は、業務に供するサービスを提供するサーバ群であって、例えば、データベースサーバ、ＷＥＢサーバ、タイムサーバ、メールサーバなどの各種の業務の用途に合わせたサーバであり、管理サーバ１０７は、ネットワーク監視システムの全体を管理する。
この管理サーバ１０７は、ネットワーク上のトラフィックの監視、ユーザーの認証や優先順位付け、監視映像の映像配信先の指定、映像切換制御等を主な機能として行う装置である。
次に、本発明の実施の形態であるネットワーク監視システムの動作について図４〜図８を用いて説明する。
【００１４】
図４は、本発明の実施の形態であるネットワーク監視システムの動作チャートを示す。
複数の監視拠点１０４のうち、任意の監視拠点１０４は、管理サーバ１０７に接続し、映像配信拠点１０１より監視映像が配信されることについての認証を求める（ステップＳ１）。
管理サーバ１０７は、後述する図５のメモリテーブル１を参照し、当該認証を求めた監視拠点１０４が、映像配信拠点１０１より映像配信を行うことが可能である登録が為されているか否かを認証する（ステップＳ２）。
登録されている監視拠点１０４ならば、操作用コンテンツを提供し（ステップＳ３）、登録されていない場合には登録外であって映像配信できない旨の信号を通知する（ステップＳ１２）。
監視拠点１０４は、提供された操作用コンテンツから任意の映像配信拠点１０１を選択し、管理サーバ１０７へ配信要請を通知する（ステップＳ４）。
管理サーバ１０７は、後述する図５のメモリテーブル１及び図６のメモリテーブル２を参照し、当該監視拠点１０４が選択された映像配信拠点１０１より映像配信される権限があるか否かを登録された優先度に応じて判断する（ステップＳ６）。
映像配信を許可されたとき、管理サーバ１０７より選択された映像配信拠点１０１に対して当該監視拠点１０４を配信先とするように指定して通知する（ステップＳ７）。
通知を受けた映像配信拠点１０１は、当該許可された監視拠点１０４に対して映像配信を行い（ステップＳ８）、これを受信した監視拠点１０４は表示装置１０５に映像表示を行う（ステップＳ９）。
この際、配信される映像信号としての映像ストリームは、管理サーバ１０７を経由せず、当該映像配信拠点１０１から当該監視拠点１０４へ直接伝送され、これにより、管理サーバ１０７へトラフィックが集中することが回避される。
一方、ステップＳ６による判断にて、映像配信が許可されなかった場合は優先度によって配信できない旨の信号が管理サーバ１０７より当該監視拠点１０４に通知される。
なお、映像監視以外の業務用のデータの送受信を最優先して行う必要がある場合などは、映像配信を行わないよう「緊急事態」として映像配信を行わない旨を管理サーバ１０７より当該監視拠点１０４に通知される（ステップＳ１１）。
【００１５】
図５は、本発明の実施の形態である管理サーバに記憶された映像配信拠点と登録された監視拠点の優先度のテーブル（メモリテーブル１）を示す。
このメモリテーブル１は、エリア名Ｍ５１、映像配信拠点コードＭ５２、監視拠点コードＭ５３、より構成され、監視拠点コードＭ５３には、優先度に応じて各監視拠点コードが登録されている。
尚、各コードは任意のコードナンバーや任意の文字列によるコードで示されるが、本実施例においては、判りやすくするため、映像配信拠点コード１０１−１、１０１−２、・・・、１０１−ｎ、及び、監視拠点コード１０４−１、１０４−２、・・・、１０４−ｎ、という連続した番号で示す。
【００１６】
各エリア名Ｍ５１には、それぞれ映像配信拠点があって、Ｍ５１「正門外」にはＭ５２「１０１−１」が配置され、Ｍ５１「正門内」にはＭ５２「１０１−２」が配置され、・・・、Ｍ５１「裏門内」にはＭ５２「１０１−８」が配置され、というように各エリアを監視カメラが撮像監視し、その映像を各映像配信機器１０２より配信するように設定されている。
そして、映像配信拠点Ｍ５２（または各エリアＭ５１）には、各々優先度に応じた監視拠点コードが登録されており、Ｍ５２「１０１−１」には優先度１の監視拠点コード「１０４−１」が設定され、優先度２には監視拠点コード「１０４−２、及び、１０４−５」が設定され、優先度３には「１０４−１〜１０４−ｎ」、すなわち、監視拠点となる表示装置１０５の全てが設定されている。
また、Ｍ５２「１０１−３」の場合、優先度１に監視拠点コード「１０４−３」が設定され、優先度２に監視拠点コード「１０４−４」が設定され、優先度３には監視拠点コード「１０４−２、５、６、７」が設定されている。
ここで、前述した図１のネットワーク１０３には監視拠点以外の端末も接続されることがあり、優先度３の列に登録されているか否かにより監視拠点として許可されるか否かが判断される。
【００１７】
図６は、本発明の実施の形態である管理サーバに記憶されたトラフィックによるレート及び優先度のテーブル（メモリテーブル２）を示す。
このメモリテーブル２は、ＢＥＲ値（ビットエラーレート）Ｍ６１、伝送レートＭ６２、配信最大数Ｍ６３、優先度Ｍ６４より構成され、予め任意に設定したＢＥＲ値の範囲に応じて、伝送レート、配信最大数、優先度が決定される。
【００１８】
ＢＥＲ値Ｍ６１「大」では、伝送レートＭ６２「遅」、配信最大数Ｍ６３「２」、優先度Ｍ６４「１」であり、すなわち、ＢＥＲ値に基づいて任意に設定したエラー率が悪い場合には、伝送レートを遅くし、また、１つの映像配信拠点１０１より配信を行う監視拠点１０４の数を２個までとし、また、優先度１の監視拠点１０４のみが配信されることを許可される。
また、ＢＥＲ値Ｍ６１「中」では、伝送レートＭ６２「普通」、配信最大数Ｍ６３「５」、優先度Ｍ６４「２」であり、すなわち、ＢＥＲ値が通常程度の場合には、伝送レートを通常の速度とし、また、１つの映像配信拠点１０１より配信を行う監視拠点１０４の数を５個までとし、また、優先度２以上（優先度１と優先度２）の監視拠点１０４のみが配信されることを許可される。
また、ＢＥＲ値Ｍ６１「小」では、伝送レートＭ６２「速」、配信最大数Ｍ６３「２０」、優先度Ｍ６４「３」であり、すなわち、ＢＥＲ値が良い場合には、伝送レートを高速とし、また、１つの映像配信拠点１０１より配信を行う監視拠点１０４の数を２０個までとし、また、優先度３以上（優先度１と優先度２と優先度３）の監視拠点１０４のみが配信されることを許可される。
【００１９】
ここで、前述した図５のメモリテーブル１の映像配信拠点コードＭ５２について、複数の映像配信拠点コードを１つの単位とする、すなわちグループ化したものとして優先度を設定することもできる。
例えば、映像配信拠点コード１０１−１及び１０１−２を１つのグループとして設定することで、エリア名Ｍ５１「正門外」「正門内」の両方に対して監視拠点コード１０４−１に優先度１が設定されるものである。
またさらに、優先度をプログラマブルな設定として可変設定とすることもできる。
これは時間帯により優先度を設定し、例えば、午前７：００〜午前１１：００には、任意の監視拠点、または、任意の監視拠点グループに対して優先度１を設定し、午後１０：００〜午前７：００には優先度３を設定し、その他の時間帯は優先度２を設定する、というものである。
このように時間帯での優先度設定により、例えば監視員が監視拠点を移動する、または、夜間の時間帯による1箇所での集中的な監視、というような各種の業務形態に効果的に適用することができる。
【００２０】
図７は、本発明の実施の形態である管理サーバの動作フローチャートを示す。
この図７は、前述した図４の動作チャートの管理サーバ１０７における詳細な動作を示したものである。
前述のステップ１からステップ２により、任意の監視拠点１０４より配信の認証を求められた場合、メモリテーブル１（図５）のＭ５３「優先度３」の列を参照し、当該認証を求めた監視拠点１０４が、映像配信拠点１０１より映像配信を行うことが可能である登録が為されているか否かを判定する（ステップＳ７１）。
このステップＳ７１の判定の結果、可能である場合（ステップＳ７１のＹ）、ステップＳ３の操作用コンテンツを提供した後、ステップ４による監視拠点１０４のコードと共に選択された映像配信拠点１０１のコードを配信要請として受信する（ステップＳ７２）。
一方、ステップＳ７１の判定の結果、可能でない場合（ステップＳ７１のＮ）、登録外であって映像配信できない旨の信号として当該監視拠点１０４へ通知する（ステップＳ１２、ステップＳ７５）。
【００２１】
ステップＳ７２の後、管理サーバ１０７は、ネットワーク１０３のトラフィックをＢＥＲ値等により確認する（ステップＳ７３）。
そして、前述した図５のメモリテーブル１及び図６のメモリテーブル２を参照し、当該監視拠点１０４が選択された映像配信拠点１０１より映像配信される権限があるか否かを登録された優先度に応じて判断する（ステップＳ７４）。
映像配信される権限がある場合（ステップＳ７４のＹ）、選択された映像配信拠点１０１に対して当該監視拠点１０４を配信先とするように指定して通知する（ステップＳ７７）。
一方、ステップＳ７４にて映像配信が許可されなかった場合（ステップＳ７４のＮ）、優先度によって配信できない旨の信号が当該監視拠点１０４に通知される（ステップＳ１０、ステップＳ７５）。
【００２２】
なお、ステップＳ７１のＹの後、または、ステップＳ７４のＹの後、緊急事態であるか否かを判定し（ステップＳ７８）、緊急制限が必要な場合（ステップＳ７８のＹ）には、緊急事態であり映像配信を行わない旨を当該監視拠点１０４に通知される（ステップＳ１１、ステップＳ７５）。
このような緊急制限は、例えば、映像監視以外の業務用のデータの送受信を最優先して行う必要がある、または、ネットワーク上のメンテナンス等による制限、などがある。
【００２３】
具体的な動作として例えば、監視拠点コード「１０４−２」より、映像配信拠点コード「１０１−１」に対して配信要請があった場合、当該監視拠点コード「１０４−２」は映像配信拠点コード「１０１−１」に対して「優先度２」であるので、ＢＥＲ値Ｍ６１が「中」または「小」の状態の場合に当該映像配信拠点コード「１０１−１」より映像の配信が為され、ＢＥＲ値Ｍ６１が「大」の状態の場合には「優先度１のために配信不可」である旨の通知が為される。
また例えば、監視拠点コード「１０４−５」より、映像配信拠点コード「１０１−３」に対して配信要請があった場合、当該監視拠点コード「１０４−５」は映像配信拠点コード「１０１−３」に対して「優先度３」であるので、ＢＥＲ値Ｍ６１が「小」の状態の場合に当該映像配信拠点コード「１０１−１」より映像の配信が為され、ＢＥＲ値Ｍ６１が「中」または「大」の状態の場合には「優先度２のために配信不可」または「優先度１のために配信不可」である旨の通知が為される。
【００２４】
ここで、前述した図６のメモリテーブル２の配信最大数Ｍ６３については、一定数以上の配信によりトラフィックが悪くならないように、各映像配信拠点から配信される数量に制限をかけており、特定の映像配信拠点１０１に対して、映像配信要請が集中した場合に、制限数を超える場合に、前述したステップＳ７４のＮによる動作が為され、「配信数量制限のため配信不可」の旨の通知が為される（ステップＳ１０、ステップＳ７５）。
【００２５】
図８は、本発明の実施の形態である監視拠点の表示画面例を示す。
この図８は、監視拠点１０４から配信要請したが配信不可である旨の通知を受けた場合の表示装置１０５に表示される画面例であり、（ａ）は前述したステップＳ１０による優先度または数量制限により配信されない場合、（ｂ）は前述したステップＳ１１による緊急事態により配信されない場合、（ｃ）は前述したステップＳ１２による登録外により配信されない場合、の各表示画面である。
【００２６】
図８（ａ）によると、当該監視拠点１０４が「優先度が達していない」または「数量制限」である旨として、例えば「トラフィックの影響で配信不可」という表示が為される。
図８（ｂ）によると、「緊急事態」である旨として、例えば「業務データ優先中のため映像配信停止中」という表示が為される。
図８（ｃ）によると、当該監視拠点が「登録外」である旨として、例えば「この端末では映像配信拠点は閲覧できません」という表示が為され、さらに「閲覧可能な映像配信拠点は次より選択してください」という表示が為されて、「登録一覧」を画面クリックすることにより自端末（自監視拠点）がどの映像配信拠点より映像配信を受けることができるのかを表示する画面に移行することができる。
この登録一覧による画面表示は、例えば、前述した図５のメモリテーブル１を参照することで、自端末がどの映像配信拠点より映像配信を受けることができるのかを表示することができる。
【００２７】
図２は、本発明の実施の形態であるネットワーク監視システムの第２実施例を示す。
この第２実施例は、既存のネットワーク網に対して映像配信拠点１０１や監視拠点１０４を追加設備として設置する場合に特に有効な複合ネットワーク網とすることができ、また、動作そのものは前述した図４や図７のものと同様である。
基幹線路２０３は、例えばＦＤＤＩなどの光ネットワーク等が中心となっており、複合ネットワーク網の基幹となる線路である。
そして、枝線路２０１は映像配信拠点１０１から基幹線路２０３に接続する枝路部分であり、枝線路２０４は管理サーバ１０７から基幹線路２０３に接続する枝路部分であり、枝線路２０５は監視拠点１０４から基幹線路２０３に接続する枝路部分であり、ルータ２０２は前記基幹線路２０３と各枝線路（２０１、２０４、２０５）をブリッジングあるいはルーティングすることでバス接続する装置である。
なお、このルータ２０２は、多段階で中継されている場合もある。
【００２８】
例えば既存設備である基幹線路２０３に対して、枝線路２０１と映像配信拠点１０１を追加設置する場合、枝線路２０１に接続されるノードのトラフィックの集中を抑止する必要がある。
そこで、監視拠点１０５は基幹線路２０３に接続されるエリア毎（すなわち枝線路２０１毎）に、当該枝線路２０１（すなわち当該映像配信拠点１０１）に対する優先度を前述した図５のメモリテーブル１のように設定する。
ここで、何れかの映像配信拠点１０１において、何らかの緊急事態が発生し、それぞれ分散的に設置されている監視拠点１０５から映像配信を要求してきた場合、前述した図６のメモリテーブル２を参照して枝線路２０１に対する伝送レートに基づいて配信最大数を制限することで枝線路２０１のトラフィック集中が回避される。
そして制限される配信先は、メモリテーブル１の優先度に基づき、当該映像配信拠点１０１に対して優先度の低い監視拠点１０４がアクセス制限されることとなる。
なお、複数の監視拠点１０４が同等の優先度である場合、先に接続した方が優先され、また、後で接続要求が為された監視拠点１０４が有る場合、優先度の低い監視拠点１０４より強制的に切断されるようにしても良い。
【００２９】
映像配信拠点１０１や監視拠点１０４が設置された場合、基幹線路２０３は、各枝線路に比較すると伝送容量が大きいとはいえ、各映像配信拠点１０１からの映像ストリームの合算によってネットワーク全体としてトラフィックが過大となる場合があり、そのため全体としてのトラフィックを制限する必要がある。
その場合、管理サーバ１０７において、前述した図６のメモリテーブル２による配信最大数Ｍ６３について、基幹線路２０３の合算の最大配信数を予め任意に設定しておくことで制限することが可能となる。
なお、優先度によっては、どのような状況下でも、特定の映像配信拠点１０１より映像配信が為されない（接続できない）監視拠点１０４を設定しておくこともできる。
【００３０】
以上、詳細に説明したように本発明の実施の形態は、複数の映像配信拠点と複数の監視拠点とその他の各種の端末が設置された複合ネットワークにおいて、管理サーバを設け、前記複数の映像配信拠点、または、前記複数の監視拠点に、予め任意に定めた優先順位を前記管理サーバに設定し、前記複数の監視拠点のうちの任意の監視端末より前記管理サーバに前記映像配信拠点の映像配信要求が為された場合に、トラフィック状況及び前記優先順位に基づいて前記映像配信要求のあった映像配信拠点より当該監視拠点に対して映像配信が為されるものである。
【００３１】
また、複合ネットワークにおいて、想定外のトラフィック集中が発生した場合に備え、システム上で最も優先度の高い監視拠点１０４を設定しておき、この監視拠点１０５によりの監視拠点１０４を強制切断するようにし、強制的な閲覧禁止を行うことも可能となる。
これは、既設のネットワーク（基幹線路）に枝線路を追加設置したような場合、突発的なトラフィックが発生する場合があるため、映像配信拠点１０１をトラフィックに合わせて、適時配信できるだけの映像ストリームを配信する機能を持たせることとする。
例えば、伝送帯域が充分である場合には、映像配信は１５ＢＰＳ、帯域が少ししか取れない場合は、映像配信は５ＢＰＳとなるように、適応的に配信の伝送レートを可変設定することで適時できる限りの配信を行う。
【００３２】
また、既設のネットワーク網に、監視カメラ等の映像配信機器１０２を接続することで、第１実施例や第２実施例に示すネットワーク監視システムを構築することができる。
このことは、汎用ＰＣで映像表示をすることにより、業務用ＰＣがそのまま利用でき、既存のネットワークに対して管理サーバ１０７と映像配信拠点１０１を接続することによって、通常の業務と共に、映像による監視業務を行うことのできる監視拠点１０４とすることができる。
既存ネットワークは一般業務以外の用途にも用いられる複合ネットワーク網となる。ネットワーク機器、インフラは既設のものを利用でき、業務用端末が監視用ＰＣとして利用できる。
【００３３】
以上詳述したように本発明によると、画像データを扱う複合ネットワーク網において映像ストリームを流し、分散した監視拠点において監視を行うネットワーク監視システムに関し、通常業務データとカメラ映像データを一元化し、ネットワーク上のトラフィック、及び、各端末が各監視カメラに対して予め任意に設定した優先度に応じて、カメラ映像データの配信を行う、場合によっては制限して行うことができる。
【００３４】
また本発明によると、既設ネットワーク網に監視システムを組込み、費用対効果を向上させると共に、ネットワーク管理作業は業務用、監視用ともに一元化する。このために、業務用ネットワークを圧迫しない、あるいは圧迫すると予想される場合に事前回避を行う仕組みを持つネットワーク監視システムとすることができる。
【００３５】
また本発明によると、映像配信拠点単位における映像配信数の制限とシステム全体の映像配信数の制限を個別に行い、配信拠点での局所的な負荷、システム全体としての負荷を軽減するとともに、映像配信機器は努力最善型の配信を行うことで、ネットワークのトラフィックに合わせた適時配信を行うことができる。
【００３６】
また本発明によると、既設ネットワーク網に、監視カメラによる映像信号等のデータ量の多いシステムを組込むことができ、費用対効果を向上させることが可能となる。
このことは、既設ネットワーク網を利用することにより、ネットワーク管理作業は業務用、監視用ともに一元化でき、また、既設ネットワーク網のトラフィック状況に合わせた映像ストリームの配信、制限を行い局所的あるいは全体的なトラフィックの集中を回避し、既存ネットワーク設備との共存を果たすことが可能となる。
【図面の簡単な説明】
【００３７】
【図１】本発明の実施の形態であるネットワーク監視システムの第1実施例を示す。
【図２】本発明の実施の形態であるネットワーク監視システムの第２実施例を示す。
【図３】従来のネットワーク監視システムの一例を示す。
【図４】本発明の実施の形態であるネットワーク監視システムの動作チャートを示す。
【図５】本発明の実施の形態である管理サーバに記憶された映像配信拠点と登録された監視拠点の優先度のテーブル（メモリテーブル１）を示す。
【図６】本発明の実施の形態である管理サーバに記憶されたトラフィックによるレート及び優先度のテーブル（メモリテーブル２）を示す。
【図７】本発明の実施の形態である管理サーバの動作フローチャートを示す。
【図８】本発明の実施の形態である監視拠点の表示画面例を示し、（ａ）は優先度または数量制限により配信されない場合、（ｂ）は緊急事態により配信されない場合、（ｃ）は登録外により配信されない場合、の各表示画面である。
【符号の説明】
【００３８】
１０１（１０１−１、１０１−２、・・・、１０１−ｎ）：映像配信拠点、
１０２：映像配信機器（監視カメラ）、
１０４（１０４−１、１０４−２、・・・、１０４−ｎ）：監視拠点、
１０５：映像表示装置（画像表示装置）、
１０６：サーバ群（業務用）、１０７：管理サーバ（監視用）、
２０１、２０４、２０５：枝線路、２０２：ルータ装置、２０３：基幹線路、
３０１：ネットワーク網（従来）、３０２：ネットワーク網（従来、既設）、
３０３：業務拠点、３０４：業務用端末（パソコン）、３０４：管理サーバ（従来）、
３１４：監視拠点（従来）、３１５：映像表示装置（従来）、
Ｍ５１〜Ｍ５３：メモリテーブル１、Ｍ６１〜Ｍ６４：メモリテーブル２、
【図１】
2005136613.tif 000003
【図２】
2005136613.tif 000004
【図３】
2005136613.tif 000005
【図４】
2005136613.tif 000006
【図５】
2005136613.tif 000007
【図６】
2005136613.tif 000008
【図７】
2005136613.tif 000009
【図８】
2005136613.tif 000010